(57)【特許請求の範囲】
【請求項１】
カードが保持されるカード保持面を有するコネクタ本体にカードコンタクトが設けられ、該カードコンタクトは、カード保持面より突出してカードの接触面に直接接触する接触部と、コネクタ本体外部に引き出されてプリント基板の接続用端子に接続される外部引き出し端子とで構成され、１つの接触部に対して複数の外部引き出し端子が設けられていると共に、一方の外部引き出し端子を他方の外部引き出し端子と接触部との略中間部分からコネクタ本体のカード保持面とは反対側の面に対して略直交方向に延出させると共に、一方の外部引き出し端子の先端部を該コネクタ本体のカード保持面とは反対側の面と略並行に折曲させて成ることを特徴とするカード用コネクタ。
【発明の詳細な説明】
【０００１】
【産業上の利用分野】
本発明は、カード用コネクタに関し、詳しくは例えば無線電話装置の加入者照合装置とＳＩＭカードとの接続に用いるカードコンタクトの構造に関する。
【０００２】
【従来の技術】
一般に、無線電話装置には例えば特開平６−１９６２２６号公報に開示されている加入者照合装置が装備されており、この加入者照合装置は、加入者の同一性を識別するモジュールであるＳＩＭ（Subcribre Identity Module ）カードを加入者が携帯し、電話装置の使用時に加入者照合装置に設けたコネクタに差し込んで使用されるものであり、ＳＩＭカードには、使用者の識別番号が記録されている他に、無線回路網に正しくつながるための情報や、課金データなども記録されている。また、加入者照合装置に設けられるコネクタは、例えば特開平６−２５２９９１号公報、特開平６−１９６２２６号公報などに開示されている。
【０００３】
【発明が解決しようとする課題】
ところで、従来の加入者照合装置のコネクタは、ＳＩＭカードの接触面に直接接触する接触部と、プリント基板の接続用端子に接続される外部引き出し端子とを備えたカードコンタクトを有する場合、このカードコンタクトの接触部と外部引き出し端子とは１：１で対応しており、例えば１つの接触部を複数のプリント基板に夫々電気的に接続する場合、プリント基板の数と同数のカードコンタクトを用いる必要が生じ、部品数が増加し、しかもカードコンタクトの外部引き出し端子の延出方向は一定であるため、多様なプリント基板の接続ができないものであった。
【０００４】
本発明は、上記従来の課題に鑑みてなされたもので、その目的とするところは、カードコンタクトを多様なプリント基板の接続に対応できるようにしたカード用コネクタを提供するにある。
【０００５】
【課題を解決するための手段】
上記課題を解決するために、本発明は、カード４が保持されるカード保持面５を有するコネクタ本体２にカードコンタクト９が設けられ、該カードコンタクト９は、カード保持面５より突出してカード４の接触面４ａに直接接触する接触部９ａと、コネクタ本体２外部に引き出されてプリント基板７の接続用端子に接続される外部引き出し端子９ｂ，９ｃとで構成され、１つの接触部９ａに対して複数の外部引き出し端子９ｂ，９ｃが設けられていると共に、一方の外部引き出し端子９ｂ又は９ｃを他方の外部引き出し端子９ｃ又は９ｂと接触部９ａとの略中間部分からコネクタ本体２のカード保持面５とは反対側の面２ａに対して略直交方向に延出させると共に、一方の外部引き出し端子９ｂ又は９ｃの先端部を該コネクタ本体２のカード保持面５とは反対側の面２ａと略並行に折曲させることに特徴を有している。
【０００６】
【作用】
本発明によれば、カードコンタクト９の１つの接触部９ａに対して複数の外部引き出し端子９ｂ，９ｃを設けるようにしたから、１つの接触部９ａを複数のプリント基板７に夫々電気的に接続する場合であっても、プリント基板７の数と同数のカードコンタクト９を用いる必要がなく、部品数が減少し、さらにカードコンタクト９の外部引き出し端子９ｂ，９ｃの延出方向を異ならせることによって、多様なプリント基板７の接続に対応できるものである。
【０００７】
また、放熱効果を高めるためにＴ字形に直交するように２枚のプリント基板７が配置されている場合であっても、カードコンタクト９の第１の外部引き出し端子９ｂをコネクタ本体２と並行に配置されたプリント基板７の接続用端子に電気的に接続できると同時に、第２の外部引き出し端子９ｃをコネクタ本体２と直交する方向に配置されたプリント基板７の接続用端子に電気的に接続できる。このとき、第２の接続用端子の先端部を該コネクタ本体２のカード保持面５とは反対側の面２ａと略並行に折曲させてあるから、コネクタ本体２と直交するプリント基板７の接続用端子に対して確実に接続することができ、また、一枚の打ち抜き板で異なる方向に延出した２つの外部引き出し端子９ｂ，９ｃを形成できるので、一つの部品で用途に応じた多様な外部引き出しが容易となる。
【０００８】
【実施例】
以下、本発明の実施例を図面に基づいて説明する。
【０００９】
本実施例のカード用コネクタ１は、例えば従来技術で述べた無線電話装置の加入者照合装置に取付けられるものであって、図４及び図５に示すように、ＳＩＭ（Subcribre Identity Module ）カード４が保持されるカード保持面５を有するコネクタ本体２と、ＳＩＭカード４を該カード保持面５と対応する位置にガイドするガイド溝６を有するカバー３と、ＳＩＭカード４の接触面４ａとプリント基板７の接続用端子とを電気的に接続するための導電材料から成るカードコンタクト９とで構成されている。図５中の１０はバッテリーである。
【００１０】
コネクタ本体２は、プラスチック等の絶縁材料から成り、その中央部に矩形状の開口部１１が形成され、この開口部１１から複数のカードコンタクト９の接触部９ａを夫々突出させてある。尚、図６のように開口部１１の中央に支持壁１２を架け渡し、ＳＩＭカード４の開口部１１に対面する部位を支持壁１２で支持させるようにしてもよい。コネクタ本体２の一端部には、カバー３の一端部が略１３０°程度まで開放できるように回動自在に且つコネクタ本体２のカード保持面５と並行な方向にスライド可能な状態で支持するためのスライドヒンジ部１３が設けられている。また、コネクタ本体２のスライドヒンジ部１３とは反対側の他端部には係止溝５０が設けられ、カバー３側には該係止溝５０に対して係脱可能な係止片５１が設けられている。
【００１１】
ここで、カバー３のガイド溝６にＳＩＭカード４を挿入した後にカバー３を閉じることで、ＳＩＭカード４をコネクタ本体２のカード保持面５上に載置できるものであり、また、閉じたカバー３をスライドヒンジ部１３から離れる方向にスライドさせることで、カバー３が閉じた状態でロックされるものであり、従って、通話中にＳＩＭカード４がコネクタ１内から抜けるのを防止でき、例えば課金データの記録がなされる前にＳＩＭカード４が抜き取られたりするなどの不都合を回避できるようになっている。また、通話後にはカバー３をスライドヒンジ部１３側にスライドさせることでロックが解除され、カバー３を開いてＳＩＭカード４の抜取りが可能となっている。
【００１２】
また、コネクタ本体２には、図１乃至図３に示すように、一定の隙間をあけて前後方向に並行に且つ左右方向に２列に配置されたカードコンタクト９群が取付けられている。各カードコンタクト９は、コネクタ本体２のカード保持面５より突出してカードの接触面４ａに直接接触する上方に突曲した形状を有する接触部９ａと、コネクタ本体２外部に引き出されてプリント基板７の接続用端子に接続される外部引き出し端子９ｂ，９ｃとで構成されている。尚、カードコンタクト９の接触部９ａはＮｉの下地に金メッキが施されており、外部引き出し端子９ｂ，９ｃはＮｉの下地に半田メッキが施されている。
【００１３】
また、上記各カードコンタクト９には、１つの接触部９ａに対して２つの外部引き出し端子９ｂ，９ｃが夫々設けられている。外部引き出し端子９ｂ，９ｃは大きく二股に分かれており、第１の外部引き出し端子９ｂはコネクタ本体２のカード保持面５と並行に延びてコネクタ本体２の一側面から引き出されており、第２の外部引き出し端子９ｃは、第１の外部引き出し端子９ｂと接触部９ａとの略中間部分からコネクタ本体２のカード保持面５とは反対側の面２ａに対して略直交方向に延出させてあり、更にこの第２の外部引き出し端子９ｃの先端部をコネクタ本体２のカード保持面５とは反対側の面２ａと略並行に折曲形成させてある。
【００１４】
しかして、カードコンタクト９の１つの接触部９ａに対して２つの外部引き出し端子９ｂ，９ｃを設けたことにより、１つの接触部９ａを複数のプリント基板７に夫々電気的に接続する場合であっても、プリント基板７の数と同数のカードコンタクト９を用いる必要がなく、部品数が減少し、しかもカードコンタクト９の外部引き出し端子９ｂ，９ｃの延出方向を異ならせることによって、多様なプリント基板７の接続に対応できるものである。例えば図２（ｂ）に示すように、放熱効果を高めるためにＴ字形に直交するように２枚のプリント基板７が配置されている場合であっても、カードコンタクト９の第１の外部引き出し端子９ｂをコネクタ本体２と並行に配置されたプリント基板７の接続用端子に電気的に接続できると同時に、第２の外部引き出し端子９ｃをコネクタ本体２と直交する方向に配置されたプリント基板７の接続用端子に電気的に接続できる。このとき、第２の接続用端子の先端部を該コネクタ本体２のカード保持面５とは反対側の面２ａと略並行に折曲させてあるから、コネクタ本体２と直交するプリント基板７の接続用端子に対して確実に接続することができるものである。しかも、一枚の打ち抜き板で異なる方向に延出した２つの外部引き出し端子９ｂ，９ｃを形成できるので、一つの部品で用途に応じた多様な外部引き出しが容易となる。
【００１５】
なお、外部引き出し端子９ｂ，９ｃの数、形状は上記実施例に限定されない。また、ＳＩＭカード４以外の他のチップカードをカード記録再生装置に接続する場合のコネクタにおいても同様に適用し得るものである。
【００１６】
【発明の効果】
上述のように、請求項１の発明は、カードが保持されるカード保持面を有するコネクタ本体にカードコンタクトが設けられ、該カードコンタクトは、カード保持面より突出してカードの接触面に直接接触する接触部と、コネクタ本体外部に引き出されてプリント基板の接続用端子に接続される外部引き出し端子とで構成され、１つの接触部に対して複数の外部引き出し端子が設けられているから、１つの接触部を複数のプリント基板に夫々電気的に接続する場合でも、プリント基板の数と同数のカードコンタクトを用いる必要がなく、部品数が減少し、さらにカードコンタクトの外部引き出し端子の延出方向を異ならせることによって、多様なプリント基板の接続に対応でき、製品の多様化が可能となる。
【００１７】
また、一方の外部引き出し端子を他方の外部引き出し端子と接触部との略中間部分からコネクタ本体のカード保持面とは反対側の面に対して略直交方向に延出させると共に、一方の外部引き出し端子の先端部を該コネクタ本体のカード保持面とは反対側の面と略並行に折曲させたから、例えば一枚の打ち抜き板で異なる方向に延出した２つの外部引き出し端子を形成できるので、一つの部品で用途に応じた外部引き出しが容易となる。
【図面の簡単な説明】
【図１】本発明の一実施例のコネクタ本体の平面図である。
【図２】（ａ）は同上のコネクタ本体の正面図、（ｂ）は図１のＡ−Ａ線断面図、（ｃ）は側面図である。
【図３】同上のカードコンタクトの斜視図である。
【図４】（ａ）（ｂ）は同上のカバーを開いてＳＩＭカードを差し込む状態を説明する側面図、及び平面図、（ｃ）（ｄ）はカバーを閉じた状態を示す側面図及び平面図である。
【図５】同上のＳＩＭカードとコネクタとプリント基板の位置関係を説明する模式図である。
【図６】本発明の他の実施例の断面図である。
【符号の説明】
２  コネクタ本体
４  カード
４ａ  接触面
５  カード保持面
７  プリント基板  
９  カードコンタクト
９ａ  接触部
９ｂ，９ｃ  外部引き出し端子
【図１】
0003588861.tif 000002
【図２】
0003588861.tif 000003
【図３】
0003588861.tif 000004
【図４】
0003588861.tif 000005
【図５】
0003588861.tif 000006
【図６】
0003588861.tif 000007